(57)【特許請求の範囲】
【請求項１】
磁気テープを巻装した単一のリールをカートリッジケース内に回転可能に収容し、使用時に前記リールの回転を許容し、不使用時に前記リールの回転を拘束するリール回転制止手段を備えた磁気テープカートリッジにおいて、
前記リール回転制止手段は、前記リールに対して接離可能に移動してリールの回転を拘束する制止部材と、該制止部材を制止方向に付勢する付勢部材と、前記リールと一体に回転してドライブ側回転駆動手段のチャッキング動作に応じて移動し前記制止部材を解除方向に移動させる解除部材とを有し、
前記解除部材の一部に形成した押上部を、前記リールに設けた挿通孔を通して先端が前記ドライブ側回転駆動手段の一部に当接可能に設けてなり、
前記押上部を前記挿通孔に挿入する際に、前記解除部材を挿入方向に案内するガイド部材を前記リールに設けたことを特徴とする磁気テープカートリッジ。
【請求項２】
前記リールにドライブ側回転駆動手段の駆動ギヤと噛合するリールギヤを設け、前記解除部材の押上部を前記リールギヤに設けた挿通孔を通して先端が前記駆動ギヤに当接可能に設けてなり、
前記挿通孔の近傍におけるリールの内壁に、押上部の挿入方向に延びるガイドリブによるガイド部材を設けたことを特徴とする請求項１に記載の磁気テープカートリッジ。
【発明の詳細な説明】
【０００１】
【発明の属する技術分野】
本発明は、磁気テープカートリッジに関し、特にカートリッジケース内に磁気テープが巻装された単一のリールを回転可能に収容してなる磁気テープカートリッジにおいて、上記リールを不使用時に回転制止状態とするリール回転制止手段の構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また保管時等の不使用時には不用意に磁気テープが引き出されないように、上記リールの回転を拘束するリール回転制止手段が設置されている。
【０００３】
上記リール回転制止手段は、リールの一部に係合してその回転を拘束する制止部材を備え、カートリッジを外部記憶装置等のドライブに装填した際には、上記制止部材をドライブ側回転駆動手段によるリールのチャッキング動作に応じて制止状態を解除するように設けている。
【０００４】
【発明が解決しようとする課題】
しかして、前述のリール回転制止手段の動作の信頼性向上、カートリッジケース内への塵埃の侵入防止等の要求から、このリール回転制止手段をリールの回転を拘束する制止部材と、この制止部材を制止方向に付勢する付勢部材と、ドライブ側回転駆動手段のチャッキング動作に応じて移動し前記制止部材を解除方向に移動させる解除部材とに分離した構造に設けることが考えられる。
【０００５】
つまり、不使用状態においては、制止部材によってリールが不用意に回転しないように拘束して磁気テープの引き出しが行われないようにしているが、カートリッジをドライブに装填して回転駆動手段によってリールのチャッキングが行われると、その動作に連係して解除部材が移動して前記制止部材を解除作動する。この状態においてはリールは回転可能となり、磁気テープの引き出し及び巻き取りが行える。
【０００６】
そして、上記のような機構においては、分離構造としていることにより、組み立てが煩雑となって工程が増加し、作業性が低下する問題を有する。特に、前記解除部材の一部に形成した押上部を上記リールに設けた挿通孔を通して先端がドライブ側回転駆動手段の一部に当接するように設け、ドライブ側回転駆動手段のチャッキング動作時に上記駆動ギヤで解除部材の押上部を押圧してこの解除部材を解除作動するように設けることが構造の簡素化を図ることなどで有利であるが、このような構造を採用すると解除部材とリールの組み付けが上記押上部を挿通孔に合わせて挿入することに伴ってさらに煩雑なものになる。
【０００７】
本発明は上記点に鑑みなされたもので、リール回転制止手段のリールと解除部材との組み付け性を改善するようにした磁気テープカートリッジを提供せんとするものである。
【０００８】
【課題を解決するための手段】
上記課題を解決した本発明の磁気テープカートリッジは、磁気テープを巻装した単一のリールをカートリッジケース内に回転可能に収容し、使用時に前記リールの回転を許容し、不使用時に前記リールの回転を拘束するリール回転制止手段を備えたものにおいて、前記リール回転制止手段は、前記リールに対して接離可能に移動してリールの回転を拘束する制止部材と、該制止部材を制止方向に付勢する付勢部材と、前記リールと一体に回転してドライブ側回転駆動手段のチャッキング動作に応じて移動し前記制止部材を解除方向に移動させる解除部材とを有し、前記解除部材の一部に形成した押上部を前記リールに設けた挿通孔を通して先端が前記ドライブ側回転駆動手段の一部に当接可能に設けてなり、前記押上部を前記挿通孔に挿入する際に、前記解除部材を挿入方向に案内するガイド部材を前記リールに設けたことを特徴とするものである。
【０００９】
また、リールにドライブ側回転駆動手段の駆動ギヤと噛合するリールギヤを設け、このリールギヤに設けた挿通孔を通して解除部材の押上部の先端が上記駆動ギヤに当接可能に設けたものでは、前記挿通孔の近傍におけるリールの内壁に、押上部の挿入方向に延びるガイドリブによるガイド部材を設けるのが好ましい。
【００１０】
前記ガイド部材の高さは押上部の長さより高く、押上部を挿通孔に挿入する際の位置決め機能を有し、解除部材を挿入方向に案内して移動するように設けるのが好適である。
【００１１】
【発明の効果】
上記のような本発明によれば、リール回転制止手段の解除部材の押上部をリールの挿通孔に挿入する際に、前記解除部材を押上部の挿入方向に案内するガイド部材をリールに設けたことにより、解除部材の押上部をリールの挿通孔に挿入する際の押上部の位置決め及び挿入方向への移動案内を行ってリールと解除部材との組み付けを容易に行うことができ、全体としての磁気テープカートリッジの組み立てが効率良く行える。
【００１２】
特にリールに設けたリールギヤに開口する挿通孔に解除部材の一部を通して先端を駆動ギヤに当接可能としたもので、この挿通孔の近傍におけるリールの内壁に、押上部の挿入方向に延びるガイドリブによるガイド部材を設けると、制止部材等の他部品と干渉することなくガイド部材を形成することができると共に、組み付け時の解除部材の案内が挿通孔の近傍において良好に行える。
【００１３】
【発明の実施の形態】
以下、図面に示す実施の形態に基づいて本発明を詳細に説明する。図１はこの実施の形態における磁気テープカートリッジの不使用状態における断面図、図２は要部の分解斜視図、図３は使用状態における要部断面図である。
【００１４】
磁気テープカートリッジ１は、単一のリール２に磁気テープ（図示省略）を巻装し、上ケース３１と中心部に開口３２ａが設けられた下ケース３２とがビス等により締結されてなるカートリッジケース３内に、上記リール２を回動可能に収容して構成されている。また、上記磁気テープカートリッジ１は、使用時に前記リール２の回転を許容し、不使用時に前記リール２の回転を拘束するリール回転制止手段１０を備えている。
【００１５】
前記リール２は、磁気テープが外周に巻回される有底円筒状のリールハブ２１と、このリールハブ２１の上下端外周からそれぞれ径方向に円盤状に張り出した下フランジ部２２及び上フランジ部２３とからなり、リールハブ２１と下フランジ部２２とが合成樹脂により一体成形され、上フランジ部２３と例えば超音波溶着により結合されている。上記リールハブ２１は中心側下部が底壁２１ａにより閉じられ、該底壁２１ａの下面外周部にはリール２を回転駆動するリールギヤ２４が環状に刻設され、このリールギヤ２４より内周側にはマグネット式吸引用の環状金属板によるリールプレート２５が取り付けられる。そして、上記リール２のリールギヤ２４及びリールプレート２５がカートリッジケース３の底面の開口３２ａに臨むように配置されている。なお、リール２は後述の付勢部材５により下方に付勢される。
【００１６】
また、ドライブ側回転駆動手段１１は、回転シャフト１２の上端面に円環状の駆動ギヤ１３とマグネット（図示せず）を備え、そのチャッキング動作は図示せぬドライブ側のバケットに装填された磁気テープカートリッジ１が回転シャフト１２に対して下降し、駆動ギヤ１３が前記リールギヤ２４に噛合すると共に、マグネットにより上記リールプレート２５を吸引して噛合状態を保持する。
【００１７】
次に、前記リール回転制止手段１０の機構を説明する。このリール回転制止手段１０は、前記リール２に対して接離可能に上下方向に移動する制止部材４と、該制止部材４を制止方向に付勢する付勢部材５と、前記制止部材４を解除方向に移動させる解除部材６とを有している。
【００１８】
前記リール２の底壁２１ａには、前記リールギヤ２４の部分を上下方向に貫通する３個の挿通孔２６が円周上で等間隔に配設され、さらに、底壁２１ａの上面には上記挿通孔２６と異なる位相位置に３組６個の係止突起２７が円周上で等間隔に立設され、この係止突起２７の先端部はギヤ歯形状に形成されている。なお、上記挿通孔２６及び係止突起２７は３個或いは３組以上配置してもよく、係止突起２７の先端部は単一のギヤ歯形状としてもよい。図２に示すリール２は、底壁２１ａの部分のみ切除した状態で示している。
【００１９】
前記制止部材４は、円盤部４１が前記リール２のリールハブ２１内にその底壁２１ａと対向して配置され、この円盤部４１の下面外周部には円環状に制止用ギヤ４２が刻設され、この制止用ギヤ４２には前記係止突起２７の先端部が噛合可能である。また、前記円盤部４１の下面中心部は凸面状に突出形成され、後述の解除部材６の板状基部６１の上面中心部に接触する。
【００２０】
さらに、前記制止部材４の円盤部４１の上面には突起部４４が上方に延びて形成され、この突起部４４には上下方向に延びる十字形状の係止溝４５が設けられている。一方、カートリッジケース３の上ケース３１の内面には上記係止溝４５に挿入される回り止め突起３３が立設されている。そして、係止溝４５と回り止め突起３３の係合で、制止部材４が回転しない状態で上下方向に移動可能に設置されている。なお、上記係止溝４５は一文字状に設けてもよい。
【００２１】
前記制止部材４の突起部４４より外周側の円盤部４１上面と上ケース３１の回り止め突起３３の外周側内面との間にはコイルスプリングによる付勢部材５が縮装されて、制止部材４を下方に制止用ギヤ４２と係止突起２７とが係合する制止方向に付勢している。
【００２２】
また、前記解除部材６は、前記制止部材４とリールハブ２１の底壁２１ａとの間に上下移動可能に介装され、略三角形状の板状基部６１の各頂点近傍下面には上下方向に延びる円柱状の押上部６３がそれぞれ設けられている。各押上部６３は、前記リール２の底壁２１ａに開口された挿通孔２６にそれぞれ出没移動可能に挿通され、その先端はリール２下面のリールギヤ２４の歯部に臨んで位置する。その際、前記係止突起２７は各押上部６３の間で板状基部６１の外側に位置する。なお、上記押上部６３は角柱状、楕円柱状等に形成してもよい。
【００２３】
前記解除部材６の最下降位置（図１）では、押上部６３の下端面はリールギヤ２４の略歯先位置となり、上記リールギヤ２４にドライブ側回転駆動手段１１のチャッキング動作により駆動ギヤ１３が噛合するのに応じて解除部材６が押圧され所定のストローク量で押し上げられるようになっている（図３）。また、この解除部材６は、押上部６３の挿通孔２６への嵌合によりリール２と一体に回転する。また、前記付勢部材５によって前記制止部材４は、その下面中央の凸面部先端が上記解除部材６の上面に当接するように付勢されるものであり、両者はリール２の回転に伴って摺動接触する。
【００２４】
なお、前記制止部材４と解除部材６の少なくとも一方を、二硫化モリブデン、ポリテトラフルオロエチレン、黒鉛（グラファイト）、チタン酸カリウムウィスカ、シリコーン（各種グレードのジメチルポリシロキサン及びその変性物）等の滑剤を含有する合成樹脂で成形して、その滑り性を改善してもよい。また、上記の滑剤と共に、オレイン酸アミド滑剤、エルカ酸アミド系滑剤、ステアリン酸アミド系滑剤、ビス脂肪酸アミド系滑剤、非イオン界面活性剤系滑剤、炭化水素系滑剤、脂肪酸系滑剤、エステル系滑剤、アルコール系滑剤、金属石けんなどの滑剤を添加してもよい。さらに、合成樹脂としては、ＰＣ（ポリカーボネート）、Ｐ０Ｍ（ポリオキシメチレン）、グラスファイバー含有ＡＢＳ（アクリロニトリルブタジエンスチレン）、ＰＰＳ、ナイロン６又はナイロン６６などの脂肪族系ポリアミド、芳香族ポリアミド、超高分子量ポリエチレン、アイソタクチックポリプロピレン、シンジオタクチックポリスチレン、ポリイミド又はポリアミドイミド又はポリエーテルイミドなどのイミド基を有する耐摩耗性に優れた樹脂を使用するのが好適である。これにより、両者の摺動接触部分の摩擦及び摩耗が低減して、駆動抵抗の減少による安定したリール２の回転が行えると共に、摩耗粉の発生を抑制して記録再生性能の信頼性を確保することができる。
【００２５】
そして、前記リール２には、解除部材６の押上部６３を挿通孔２６に挿入する際に、解除部材６の一部を挿入方向に案内するガイド部材２８が設置されている。前記ガイド部材２８は、図４〜図６に示すように、リールギヤ２４に貫通形成される挿通孔２６の近傍におけるリール２のリールハブ２１の内壁に、前記解除部材６の略三角形状の板状基部６１の各頂部の両角部を案内する上下方向（押上部６３の挿入方向）に延びる２つのガイドリブで形成されている。
【００２６】
このガイド部材２８（ガイドリブ）の高さＨ（図６参照）は、押上部６３を挿通孔２６の上方から挿入する際に、押上部６３の下端部が挿通孔２６の上開口端に到達する前に板状基部６３の案内を行うように、押上部６３の高さｈより大きく形成されている。また前記挿通孔２６の上端開口部の周縁はテーパ面２６ａに形成され、押上部６３の先端を誘い込むように設けられている。
【００２７】
上記解除部材６の各押上部６３が各挿通孔２６の上方となるように板状基部６１の各頂部の位置を前記ガイド部材２８により位置決めした後、この解除部材６の保持を解放して落下させると、ガイド部材２８の挿入方向の案内によって押上部６３は挿入方向に移動して挿通孔２６に挿入し、リール２に対する解除部材６の組み立てを行うものである。
【００２８】
なお、前記磁気テープカートリッジ１の組み立ては、下ケース３２を上向きに置き、これにリール２を載置し、続いて解除部材６を前述のガイド部材２８によって案内しつつ組み付け、その上に制止部材４、付勢部材５を載置した後に、上ケース３１を載置し、その後、上下を逆にして下ケース３２側からビス締結を行って組み付けを完了するものである。
【００２９】
前記リール回転制止手段１０の作用を説明すれば、図１は磁気テープカートリッジ１の保管状態等の不使用時であり、この状態では、付勢部材５の付勢力によって制止部材４、解除部材６並びにリール２はカートリッジケース３の下ケース３２側に移動しており、下ケース３２中心部の開口３２ａはリール２によって閉塞される。解除部材６は下面がリールハブ２１の底壁２１ａ上面に当接した最下降状態にあり、その押上部６３は先端部がリールギヤ２４の歯先位置に一致するように突出しており、解除部材６の上面に当接している制止部材４も下降位置にあり、その制止用ギヤ４２にリール２の係止突起２７の先端部が係合してリール２の不使用時における回転が拘束され、磁気テープの引き出しを阻止する。
【００３０】
一方、磁気テープカートリッジ１をドライブに装填した図３のカートリッジ使用時は、ドライブ側回転駆動手段１１の回転シャフト１２がリール２の底面に対して接近し、チャッキング動作によって駆動ギヤ１３がリールギヤ２４に噛合しリール２を若干上方に移動させて保持すると、上記駆動ギヤ１３の歯先が解除部材６の押上部６３の先端に当接してこれを押し上げる。これに伴い、解除部材６が付勢部材５の付勢力に抗して上方へ移動し、この解除部材６と一体に制止部材４も上方の解除方向へ移動する。これにより制止用ギヤ４２と係止突起２７の係合が解除され、リール２が回転自在とされる。そして、記録再生装置のドライブによって磁気テープが引き出され又は巻き取りが行われる。
【００３１】
なお、上記実施形態においては、ガイド部材２８をリールハブ２１の内壁に形成しているが、その配設位置はこれに限らず、制止部材４と干渉しない位置において前記解除部材６の一部を押上部６３の挿入方向に案内するように、リール２の底壁２１ａにガイド部材２８を突設するようにしてもよい。また、前記挿通孔２６はリールギヤ２４より内周側に設けてもよい。
【図面の簡単な説明】
【図１】本発明の一つの実施の形態による磁気テープカートリッジの不使用状態における断面正面図
【図２】図１の磁気テープカートリッジの要部の分解斜視図
【図３】図１の磁気テープカートリッジの使用状態における要部断面図
【図４】リールと解除部材の組み付け状態を示す断面平面図
【図５】リールの要部拡大平面図
【図６】リールと解除部材の要部断面図
【符号の説明】
１    磁気テープカートリッジ
２    リール
３    カートリッジケース
４    制止部材
５    付勢部材
６    解除部材
10    リール回転制止手段
11    ドライブ側回転駆動手段
12    回転シャフト
13    駆動ギヤ
21    リールハブ
21a     底壁
24    リールギヤ
26    挿通孔
27    係止突起
28    ガイド部材
42    制止用ギヤ
61    板状基部
63    押上部
【図１】
0003755632.tif 000002
【図２】
0003755632.tif 000003
【図３】
0003755632.tif 000004
【図４】
0003755632.tif 000005
【図５】
0003755632.tif 000006
【図６】
0003755632.tif 000007